(57)【要約】      （修正有）【課題】明度を下げるなどの景観回復に加えて、生態系育成を可能とし、周辺環境の向上を図ることが可能な多孔質天然石を用いた修景パネル、景観修復方法を提供する。【解決手段】パネル基板と上記パネル基板の上に固着される多孔質天然石とからなり、上記多孔質天然石の明度が６以下である修景パネルである。多孔質天然石は、溶岩スライス１３と溶岩礫１４とからなり、パネル基板の表面に溶岩スライス１３が固着された後、当該溶岩スライス１３間にできる隙間を覆うように溶岩礫１４が固着されてよい。溶岩スライス１３と溶岩礫１４は、玄武岩質であり、溶岩スライス１３と溶岩礫１４には三宅島又は大島で採取された溶岩を用いることとしてよい。【選択図】図２
2016121482.tif 000002
【特許請求の範囲】
【請求項１】
パネル基板と、
上記パネル基板の上に固着される多孔質天然石と、からなり、
上記多孔質天然石の明度が６以下である
修景パネル。
【請求項２】
上記多孔質天然石は、溶岩スライスと溶岩礫とからなり、
上記パネル基板の表面に溶岩スライスが固着された後、当該溶岩スライス間にできる隙間を覆うように上記溶岩礫が固着される
請求項１に記載の修景パネル。
【請求項３】
上記溶岩スライスと溶岩礫は、玄武岩質であり、
上記溶岩スライスと溶岩礫には三宅島又は大島で採取された溶岩を用いる
請求項２に記載の修景パネル。
【請求項４】
修景パネルを用いた景観修復方法であって、
上記修景パネルは、パネル基板と上記パネル基板の上に固着される多孔質天然石とからなり、上記多孔質天然石としては、三宅島又は大島で採取された溶岩スライスと溶岩礫とが用いられ、上記パネル基板の表面に上記溶岩スライスが固着された後に当該溶岩スライス間にできる隙間を覆うように上記溶岩礫が固着されており、
上記修景パネルを配設することで明度を６以下として景観を修復する
景観修復方法。
【発明の詳細な説明】
【技術分野】
【０００１】
本発明は、無機質なコンクリート建造物等の明度を抑え環境と生態系を回復し、美しい景観を守る、多孔質天然石を用いた修景パネル、及び景観修復方法に関する。
【背景技術】
【０００２】
従来、美しい自然環境の中、その景観を分断させる無機質なコンクリート建造物などが多く見られるようになってきている。これらは、社会問題となっており、生態系保全や修景などの環境改善が求められている。
【０００３】
このように環境改善が嘱望される中、従来は、例えばコンクリート構造物や鉄矢板護岸について、無機質な景観を回復させるために、擬石風コンクリート張りブロックによる修景で対応していた。
【０００４】
なお、特許文献１では、コンクリート構造物の表面を緑化するために保水材を用いる点が開示されているが、多孔質天然石を用いるものではない。
【先行技術文献】
【特許文献】
【０００５】
【特許文献１】特開平８−１０９６３６号公報
【発明の概要】
【発明が解決しようとする課題】
【０００６】
しかしながら、前述したような擬石風コンクリート張りブロックによる修景では、生態系育成を行うことはできず、分断された自然環境をつなぎ、生態系のバリアフリーを実現することはできない。
【０００７】
一方、自然災害が多い中、その復旧を急ぐと共に被災地で新たな雇用を生むことも社会問題としてその解決が重要であるが、例えば、大島や三宅島で所定条件の下、入手できる溶岩を当該島で当該島の人員で加工し景観修復に使用できれば、被災の結果を活用して新たな雇用と景観修復をもたらす、循環型の社会システムを構築できることになる。
【０００８】
本発明は、上記課題に鑑みてなされたものであり、明度を下げるなどの景観回復に加えて、生態系育成を可能とし、周辺環境の向上を図ることが可能な多孔質天然石を用いた修景パネル、及び景観修復方法を提供することを目的とする。
更に上記循環型の社会システムの構築に寄与する多孔質天然石を用いた修景パネル、及び景観修復方法を提供することを目的とする。
【課題を解決するための手段】
【０００９】
上記課題を解決するため、本発明の一つの態様に係る多孔質天然石を用いた修景パネルは、パネル基板と、上記パネル基板の上に固着される多孔質天然石と、からなり、上記多孔質天然石の明度が６以下である。
【００１０】
ここで、上記多孔質天然石は、溶岩スライスと溶岩礫とからなり、上記パネル基板の表面に溶岩スライスが固着された後、当該溶岩スライス間にできる隙間を覆うように上記溶岩礫が固着されてよい。さらに、上記溶岩スライスと溶岩礫は、玄武岩質であり、上記溶岩スライスと溶岩礫には三宅島又は大島で採取された溶岩を用いることとしてよい。
【００１１】
また、本発明の他の態様に係る景色修復方法は、修景パネルを用いた景観修復方法であって、上記修景パネルは、パネル基板と上記パネル基板の上に固着される多孔質天然石とからなり、上記多孔質天然石としては、三宅島又は大島で採取された溶岩スライスと溶岩礫とが用いられ、上記パネル基板の表面に上記溶岩スライスが固着された後に当該溶岩スライス間にできる隙間を覆うように上記溶岩礫が固着されており、上記修景パネルを配設することで明度を６以下として景観を修復する。
【００１２】
本発明によれば、明度を下げるなどの景観回復に加えて、生態系育成を可能とし、周辺環境の向上を図ることが可能な多孔質天然石を用いた修景パネル、景観修復方法を提供することができる。さらに上記循環型の社会システムの構築に寄与する多孔質天然石を用いた修景パネル、及び景観修復方法を提供することができる。
【図面の簡単な説明】
【００１３】
【図１】本発明の第１実施形態に係る修景パネルの構成図である。
【図２】本発明の第２実施形態に係る修景パネルの構成図である。
【図３】本発明の第３実施形態に係る修景パネルの構成図である。
【図４】本発明の第２実施形態に係る景修パネルを取り付ける様子を示す図。
【図６】本発明の第１乃至第３実施形態に係る修景パネルの製造方法を示すフローチャートである。
【図５】本発明の第４実施形態に係るサスティナパネルの構成を示す図である。
【発明を実施するための形態】
【００１４】
以下、図面を参照しつつ本発明の実施形態について説明する。
【００１５】
本発明の第１乃至第３実施形態は、防潮提や砂防提等、コンクリート構造物の新設・修景工事や鋼矢板、鋼管矢板護岸の修景工事、生態系育成工事等で採用される多孔質天然石を用いた修景パネルであり、多孔質天然石としては溶岩等が採用される。ここで、修景とは景色を修復することをいう。その特徴を概略すると以下のようになる。
【００１６】
第１に、生態系を保全する。この修景パネルの表面は自然界の生物が暮らしやすい多孔質構造になっているので、微生物や蘚苔類（コケ類、シダ類）、草花などの植物が付着しやすく、年数の経過とともに生態系を回復させる。これにより、構造物表面が生態系を遮断しない構造になる。また、水辺付近では水質浄化作用も期待できる。
【００１７】
第２に、有益な環境パフォーマンスを示す。この修景パネルの特徴である多孔質環境は吸放湿性や断熱性に優れているため、夏は炎天下の照り返しや湿度を和らげ、冬は乾燥を防止し、ヒートアイランド現象の緩和に貢献する。
【００１８】
第３に、施工性が良好である。超軽量・超薄型のパネル、既存構造物を壊さずに表面を覆う工法なので、解体工による廃材を抑制し、かつ重機を必要せず短期間で施工できるため、全体の工事費用を削減することができる。また、コンクリート、鉄、アルミ、木材など、どこにでも適用できる多様性がある。
【００１９】
以下、各実施形態について詳述する。
【００２０】
図１は本発明の第１実施形態に係る修景パネルの構成を示す図である。詳細には、図１（ａ）は修景パネルの平面図、図１（ｂ）は修景パネルの上面図、図１（ｃ）は修景パネルの側面図である。この修景パネル１は、セメント系硬化体等からなるパネル基板（セメントボード）２上に溶岩礫（スコリア）３が配設され基板の全体が覆われており、特に薄くて軽い。そして、灰色を基調とするパネル１は施工直後から落ち着いた佇まいを醸し出している。凹凸は少ないがシダ類やコケ類、つる性植物類等が生育できる。水中において水中微生物が生息できる。なお、この修景パネル１の高さｄ１は例えば最大１０ｍｍである。
【００２１】
図２は本発明の第２実施形態に係る修景パネルの構成を示す図である。詳細には、図２（ａ）は修景パネルの平面図、図２（ｂ）は修景パネルの上面図、図２（ｃ）は修景パネルの側面図である。この修景パネル１１は、セメント系硬化体等からなるパネル基板（セメントボード）１２上に溶岩スライス１３及び溶岩礫（スコリア）１４が配設され基板１２の全体が覆われており、薄く軽い。そして、深い茶色を基調とするパネルは落ち着いた佇まいを醸し出している。凹凸と隙間があり、シダ類やコケ類、つる性植物類等が生育できる。昆虫類などの移動が可能である。さらに水中において水中微生物や水生生物が生息できる。なお、この修景パネル１１の高さｄ２は例えば最大２０ｍｍである。
【００２２】
図３は本発明の第３の実施形態に係る修景パネルの構成を示す図である。詳細には、図３（ａ）は修景パネルの平面図、図３（ｂ）は修景パネルの上面図、図３（ｃ）は修景パネルの側面図である。この修景パネル２１は、セメント系硬化体等からなるパネル基板（セメントボード）２２上に溶岩２３及び溶岩礫（スコリア）２４が配設され基板２２の全体が覆われている。そして、深い茶色を基調とするパネルは、溶岩石の自然な佇まいを醸し出している。凹凸と隙間が大きく、シダ類やコケ類、つる性植物類、小さな植物等が生育できる。さらに、直壁部分でもヘビなど小動物の移動が可能である。水中において水生植物、水中微生物や水生生物が生息できる。なお、この修景パネル２１の高さｄ３は例えば最大８０ｍｍである。
【００２３】
ここで、「溶岩」としては、三宅島、大島、富士山、浅間山で採取されたものを用いている。三宅島、大島、富士山で採取される溶岩は、いずれも玄武岩質のものであるが、三宅島や大島で採取される溶岩は、噴火により空気中を飛散した後に固まったものであるから細かい孔が複数空いている多孔質である。これに対して、富士山で採取される溶岩は、溶岩流として流れた後に固まったものであることから孔が少ないが、その反面、細かく粉砕することが可能である。そこで、上記第１乃至第３の実施形態では、三宅島や大島で採取された溶岩石を採用することとしている。但し、これには限定されない。
【００２４】
このような溶岩は、多孔質であることから、小動物、微生物などの棲息環境となる（生態系の保全、回復効果）。さらに、無機質な構造物が適度に緑化し年数の経過と共にさらに周囲と調和する（景観、修景効果）。また、苔、地比類やツタ類などの育成する土壌になる（緑化効果）。さらに、多孔質であることから、湿潤性、水際においては保水、水浄化作用が期待できる（湿潤性、水浄化効果）。さらに、多孔質な構造により音を吸収することができる（吸音効果）。また、溶岩の細かな凹凸が光反射を防止し、また極微小な空隙は熱遮断効果もある（光反射防止効果）。また、溶岩からはマイナスイオンが発生している（マイナスイオン効果）。さらに、表面が多孔質で凹凸があるため落書きができない（落書き防止効果）。そして、貼付により構造物表面の劣化を防ぐことができる（構造物面の保護）。このほか、大きな根を張る空間が無いため植物が大きく育たず維持管理を最小限に抑えることができる（低コストの維持管理費）。各実施形態は、溶岩を採用しているので、上記効果はそのまま各実施形態も備えることになる。
【００２５】
また、上記溶岩を用いることで、明度を６以下とすることができる。ここで、「明度」については、平成２６年４月に「美しい山河を守る災害復旧基本方針」が改訂され、護岸ブロックの明度の目安（６以下）と明度計測方法が記載された。しかし、普段扱わない計測機器等も使用するため、実際に明度を計測する際に混乱が生じることが懸念される。そこで、（公社）全国土木コンクリートブロック協会は、中小河川でよく用いられる積ブロックに関する明度計測方法等の指導と明度解析および明度測定結果について証明書の作成を行い、護岸ブロックの平均明度計測方法の普及に努めている。そして、ブロック素材そのものが明度６以下である場合は、目地を含めた平均明度を測定しなくても明度６以下とみなすことが考えられている。なお、コンクリート製品と溶岩を複合した明度の測定については独立法人土木研究所共生センターにより測定方法を示唆されている。一般的な石材の明度は公知の輝度計、照度計などで測定することができることは勿論である。
【００２６】
このような第１乃至第３実施形態に係る修景パネルを、河川護岸、水路、側溝、道路のり面・擁壁、防護柵、遮音・防音壁、坑口、ダム壁面、貯水池面、堰堤、橋梁・橋桁、階段・縁石、ビル、公共施設の外壁、一般建築物、町並み等に施工する場合、ビスによる固定方法、あるいは接着剤とビスによる固定方法を採用できる。前者のビスによる固定方法によれば、施工場所や地域環境や生態系に悪影響を与えずに施工することができる。ビスによる固定方法の詳細な手順は、施工面の清掃、位置決め、コンクリート削孔、ビスによる固定、そしてビスの頭仕上げ、の順となる。一方、後者の接着剤とビスによる固定方法によれば、接着面を更に強固にすることができる。
【００２７】
ここで、図４を参照して、第２実施形態に係る修景パネルの実際の壁面への取り付けについて詳述する。図４（ａ）に示されるように、実際にコンクリート躯体３２の壁面３２ａに取り付けされるときには、取り付け強度を高めるために、複数の修景パネル３１が互い違いになるように配列される。そして、図４（ｂ）に示されるように、修景パネル３１は、コンクリート躯体３２の壁面３２ａに、前述したように例えばビス、接着剤等で固定されることになる。
【００２８】
次に、図５のフローチャートを参照して、第１乃至第３の実施形態に係る修景パネルの製造方法を概説する。
【００２９】
先ず、セメント系硬化体等からなるパネル基板を所定サイズに成型し（Ｓ１）、続いて当該パネル基板の上に配設する溶岩を所定サイズに粉砕、スライスする（Ｓ２）。そして、この粉砕、スライスした溶岩をパネル基板の上に取り付ける（Ｓ３）。取り付けの方法としては、接着剤による接着のほか、パネル基板自体に溶岩を埋設するようにしてよい。溶岩スライスを所定間隔で取り付けた後、その溶岩スライスの間の平面を覆うように溶岩礫（スコリア）を取り付ける（Ｓ４）。こうして、修景パネルが完成となる。
【００３０】
以上説明した第１乃至第３実施形態では、既設の建物等に取り付ける修景パネルを例示したが、次に図６を参照して、本発明の第４の実施形態として、砂防堰堤工事などに採用されるサスティナパネルについて説明する。
【００３１】
図６（ａ）は配列されたサスティナパネルの表面の様子を示し、図６（ｂ）は配列されたサスティナパネルの背面の様子を示し、図６（ｃ）はサスティナパネルを砂防堰堤工事のために施工した様子を側面から示している。
【００３２】
図６（ａ）に示されるように、複数のサスティナパネル４１は、取り付け強度を高めるために互い違いに配列されている。そして、図６（ｂ）に示されるように、隣り合うサスティナパネル４１同士が連結アングル４２，４３により連結されている。この連結アングル４２，４３にはルーズ穴が設けられており、このルーズ穴を介して各サスティナパネル４１に開けられた孔にビスが止められる。さらに、各サスティナパネル４１の最上段のパネルの上辺付近、更に最下段のパネルの下辺付近にも、連結アンクル４４，４５が取り付けられている。そして、図６（ｃ）に示されるように、この最上段のパネルの上辺付近の連結アンクル４４は刺し筋４７にワイヤー５０等により連結され所定角度が維持されるように固定される。サスティナパネル４１同士を連結した連結アングル４２，４３も他の刺し筋４８にワイヤー５１，５２等により連結される。そして、最下段のパネルの下辺に設けられた連結アングル４５は、架台用アングル４９を介して架台用刺し筋４９に接続されている。
【００３３】
本発明の第１乃至第４の実施形態によれば、以下の効果が奏される。
【００３４】
（１）本発明の実施形態に係る修景パネルは、薄型の基盤をベースに、多孔質天然石を複合した土木環境リフォーム資材である。このパネルでは、施工した地域に存在する多種多様な微生物が付着成育し、生物共同体が形成されるため、生態系の保護や環境浄化を託すことができる地球温暖化対策製品であるともいえる。
【００３５】
（２）修景パネルは、その表面が多孔質天然石で覆われたコンクリート基盤パネルとしたことで、製品が薄型軽量となるため、人力での設置が可能となる上、足場が簡略化できるため、施工性の向上が図られる。
【００３６】
（３）修景パネルは、その表面を多孔質天然石で覆ったことにより、明度や色彩を抑えられるため、周辺環境との調和が図られる。
【００３７】
（４）修景パネルは、多孔質天然石を活用することで、透水性、通気性、保水性に優れるため、動植物の生息や生育に必要な環境を確保できる。
【００３８】
（５）修景パネルは、多孔質天然石を活用しているので、吸着作用に優れ、微生物の餌場、それを利用する生物の生息空間が形成され、徐々に生物を誘致できる。また、微生物の働きによって吸着物質が分解され、施工現場周辺の水質浄化作用が期待できる。
【００３９】
（６）以上に加えて、河川の護岸や道路擁壁、コンクリートジャングルと化した都市にあって、多孔質環境は分断された自然環境をつなぎ、生態系のバリアフリーを実現することができる。
【００４０】
（産業上の利用可能性）
第１乃至第３実施形態に係る修景パネルの用途としては、河川護岸、水路、側溝、道路のり面・擁壁、防護柵、遮音・防音壁、坑口、ダム壁面、貯水池面、堰堤、橋梁・橋桁、階段・縁石、ビル、公共施設の外壁、一般建築物、町並み整備などがある。
【００４１】
以上説明したように、本発明の実施形態に係る修景パネルで河川の護岸や水路、道路擁壁などを覆うことにより、周囲の自然環境に溶け込む土木構造物に生まれ変わる。天然の多孔質素材を複合させた凹凸のある壁面は適度に緑化されていくため、自然景観と調和していく。従来のコンクリート構造物のように歳月の経過とともに汚れやムラが目立ちはじめることもなく、壁面緑化はコケや根の浅い植物が主体になるため、過度に成長することもなく、メンテナンスの必要はない。水域では多孔質な環境が濾過材の役割を果たし、水質浄化にも貢献する。
【符号の説明】
【００４２】
１  修景パネル
２  パネル基板
３  溶岩礫
１１  修景パネル
１２  パネル基板
１３  溶岩スライス
１４  溶岩礫
２１  修景パネル
２２  パネル基板
２３  溶岩スライス
２４  溶岩礫
【図１】
2016121482.tif 000003
【図２】
2016121482.tif 000004
【図３】
2016121482.tif 000005
【図４】
2016121482.tif 000006
【図５】
2016121482.tif 000007
【図６】
2016121482.tif 000008